(57)【要約】マッサージ・チェア１０は、座席５０、前上部支持組立体１６、第１支持表面１８、及び第１位置決め機構２０を含む。第１位置決め機構２０は、第１支持表面１８を前上部支持組立体１６に可動的に固定する。第１位置決め機構２０は、縦軸２６を有するガイド・レール２４と回転軸２８を有する締付け組立体２７とを有する。ある実施形態では、単一の調整で、締付け組立体２７は、第１支持表面１８の動きを阻止するロック位置と、回転軸２８の周り及び縦軸２６に沿った第１支持表面１８動きを可能にするアンロック位置との間で動くことができる。マッサージ・チェア１０はまた、第２支持表面７５を前上部支持組立体１６に可動的に固定する第２位置決め機構２２を含むこともできる。
2005528929.tif 000002
【特許請求の範囲】
【請求項１】
個人を座らせるようになっているマッサージ・チェアであって、
座席と、
座席に結合された前上部支持組立体と、
第１支持表面と、
第１支持表面を前上部支持組立体に可動的に固定する第１位置決め機構であって、（ｉ）第１支持表面に結合されたガイド・レールと、（ｉｉ）前上部支持組立体に結合された締付け組立体とを含み、締付け組立体は、締付け組立体に対する第１支持表面の動きを阻止するロック位置と、前上部支持組立体に対する第１支持表面の回転と前上部支持組立体に対する第１支持表面の滑動とを可能にするアンロック位置との間を、選択的に動く、第１位置決め機構と
を含むマッサージ・チェア。
【請求項２】
ガイド・レールが縦軸を有し、締付け組立体が縦軸に実質的に直角な回転軸を含み、アンロック位置では、第１支持表面は回転軸の周りを回転し、縦軸に沿って滑動する、請求項１に記載のマッサージ・チェア。
【請求項３】
ガイド・レールが実質的に正方形の断面を有する、請求項１に記載のマッサージ・チェア。
【請求項４】
ガイド・レールが第１支持表面に関して実質的に菱形の断面を有する、請求項１に記載のマッサージ・チェア。
【請求項５】
締付け組立体が、（ｉ）第１ピン端部と反対側の第２ピン端部とを有する締付けピンと、（ｉｉ）第１ピン端部の近くに位置するガイド・レシーバとを含み、ガイド・レシーバはロック位置とアンロック位置との間を選択的に動く、請求項１に記載のマッサージ・チェア。
【請求項６】
締付け組立体が、第２ピン端部の近くに位置する第２ガイド・レシーバを含む、請求項５に記載のマッサージ・チェア。
【請求項７】
ガイド・レシーバの少なくとも１つが、ガイド・レールの一部分を受け入れる実質的にＶ形の切り込みを有する、請求項６に記載のマッサージ・チェア。
【請求項８】
ガイド・レシーバの各々が、ガイド・レールの対応する部分を受け入れる実質的にＶ形の切り込みを有する、請求項６に記載のマッサージ・チェア。
【請求項９】
ガイド・レールが縦軸を含み、ガイド・レールが、締付けピンが縦軸に実質的に直角なガイド・レールを通じて延在するように位置付けられている、請求項５に記載のマッサージ・チェア。
【請求項１０】
ガイド・レールが、縦軸の対向両側の上に位置する対向隅部を含み、締付けピンがガイド・レールの対向隅部を通じて延在する、請求項９に記載のマッサージ・チェア。
【請求項１１】
ガイド・レールが、ガイド・レールに沿って実質的に縦方向に位置するガイド・レール・スロットを含み、締付けピンがガイド・レール・スロットを通じて延在する、請求項５に記載のマッサージ・チェア。
【請求項１２】
第１位置決め機構が、ガイド・レシーバをロック位置とアンロック位置との間で動かすロック・レバーをさらに含む、請求項５に記載のマッサージ・チェア。
【請求項１３】
位置決め機構が１つだけのガイド・レールを含む、請求項１に記載のマッサージ・チェア。
【請求項１４】
第１支持表面が胸部支持物である、請求項１に記載のマッサージ・チェア。
【請求項１５】
第１支持表面が頭部支持物である、請求項１に記載のマッサージ・チェア。
【請求項１６】
第２支持表面をさらに含み、前上部支持組立体が、第２支持表面を支持する第２支持アームを含む、請求項１に記載のマッサージ・チェア。
【請求項１７】
第２支持表面を第２支持アームに可動的に結合する第２位置決め機構を含み、第２位置決め機構は、（ｉ）第２支持表面に結合されて、縦軸を有するガイド・レールと、（ｉｉ）第２支持アームに結合された締付け組立体とを含み、締付け組立体は回転軸を有し、締付け組立体は、締付け組立体に対する第２支持表面の動きを阻止するロック位置と、回転軸の周りにおける第２支持表面の回転と、締付け組立体に対する第２支持表面の縦軸に沿った動きとを可能にするアンロック位置との間を、選択的に動く、請求項１６に記載のマッサージ・チェア。
【請求項１８】
個人を座らせるようになっているマッサージ・チェアであって、
座席と、
座席に結合された前上部支持組立体と、
第１支持表面と、
第１支持表面を前上部支持組立体に可動的に固定する第１位置決め機構と
を含み、
第１位置決め機構は、
第１支持表面に結合されたガイド・レールであって、縦軸と、第１支持表面に関して実質的に菱形の断面とを有し、縦軸の対向両側の上に位置する対向隅部を有するガイド・レールと、
前上部支持組立体に結合された締付け組立体であって、ガイド・レールを解除可能に締付け、回転軸を有し、（ｉ）実質的に回転軸に沿って位置付けられた締付けピンであって、ガイド・レールの縦軸に実質的に直角であり、ガイド・レールの縦軸に実質的に直角なガイド・レールの対向隅部を通じて延在し、第１ピン端部と対向する第２ピン端部とを有する締付けピンと、（ｉｉ）第１ピン端部の近くに位置する第１ガイド・レシーバと第２ピン端部の近くに位置する第２ガイド・レシーバであって、これらのガイド・レシーバは各々、ガイド・レールの個別部分を受け入れるための実質的にＶ形の切り欠きを有し、締付け組立体に対する第１支持表面の動きを阻止するロック位置と、回転軸の周りにおける第１支持表面の回転と、ガイド・レシーバに対するガイド・レールの縦軸に沿った第１支持表面の動きとを可能にするアンロック位置との間を、選択的に動く、第１及び第２ガイド・レシーバと、（ｉｉｉ）ガイド・レシーバをロック位置とアンロック位置との間で動かすロック・レバーとを含む、締付け組立体と
を含むマッサージ・チェア。
【請求項１９】
第１支持表面が胸部支持物である、請求項１８に記載のマッサージ・チェア。
【請求項２０】
第１支持表面が頭部支持物である、請求項１８に記載のマッサージ・チェア。
【請求項２１】
第１支持表面を支持組立体に可動的に固定する位置決め機構であって、
第１支持表面に結合されて、第１支持表面に関して実質的に菱形の断面を有するガイド・レールと、
支持組立体に結合された締付け組立体であって、ガイド・レールを解除可能に締付け、（ｉ）第１ピン端部と対向する第２ピン端部とを有する締付けピンと、（ｉｉ）第１ピン端部の近くに位置する第１ガイド・レシーバと第２ピン端部の近くに位置する第２ガイド・レシーバであって、これらのガイド・レシーバは各々、ガイド・レールの個別部分を受け入れるための実質的にＶ形の切り欠きを有し、締付け組立体に対する第１支持表面の動きを阻止するロック位置と、支持組立体に対する第１支持表面の回転と、支持組立体に対する第１支持表面の滑動とを可能にするアンロック位置との間を、選択的に動く第１及び第２ガイド・レシーバとを含む、締付け組立体と
を含む位置決め機構。
【請求項２２】
ガイド・レールが、縦軸と、縦軸の対向側面に位置する対向隅部を含み、締付けピンが縦軸に実質的に直角なガイド・レールの対向隅部を通じて延在し、アンロック位置では第１支持表面は縦軸に沿って滑動する、請求項２１に記載の位置決め機構。
【請求項２３】
ガイド・レシーバをロック位置とアンロック位置との間で動かすロック・レバーをさらに含む、請求項２１に記載の位置決め機構。
【請求項２４】
請求項２１に記載の位置決め機構を含むマッサージ装置。
【請求項２５】
請求項２１に記載の位置決め機構を含むマッサージ台。
【請求項２６】
マッサージ・チェアのための、第１支持表面の位置を調整するための方法であって、
縦軸を有するガイド・レールを第１支持表面に結合するステップと、
回転軸を有する締付け組立体を、締付け組立体に対するガイド・レールと第１支持表面の動きを阻止するロック位置から、回転軸の周りにおけるガイド・レールと第１支持表面の回転と、締付け組立体に対するガイド・レールと第１支持表面の縦軸に沿った動きとを可能にするアンロック位置へ動かすステップと
を含む方法。
【請求項２７】
第１支持表面を縦軸に実質的に平行な方向に動かすステップと、第１支持表面を締付け組立体の回転軸の周りに回転させるステップとをさらに含む、請求項２６に記載の方法。
【請求項２８】
締付け組立体をロック位置へ動かすステップをさらに含む、請求項２７に記載の方法。
【請求項２９】
ガイド・レールを結合するステップが、実質的に菱形の断面を有するガイド・レールを第１支持表面に結合させることを含む、請求項２６に記載の方法。
【請求項３０】
締付け組立体を動かすステップが、各々がガイド・レールの個別部分を受け入れるために実質的にＶ形の切り欠きを有する２つのガイド・レシーバを準備することを含む、請求項２９に記載の方法。
【請求項３１】
第２支持表面を準備するステップと、第２支持表面を第２位置決め機構によって、第２支持表面の動きを阻止するロック位置と、回転軸の周りにおける第２支持表面の回転と縦方向の第２支持表面の動きと可能にするアンロック位置との間を動かすステップとをさらに含む、請求項２６に記載の方法。
【発明の詳細な説明】
【技術分野】
【０００１】
本発明は、概してマッサージ・チェアに関する。本発明は、特に調整可能な位置決め機構を有するマッサージ・チェアを対象とする。
【背景技術】
【０００２】
セラピューティック・マッサージの利益がさらに広範に高い評価されるのにつれて、セラピューティック・マッサージに関与する人々が増えている。マッサージ・チェアによれば、患者はマッサージを受けながら直立姿勢のままでいることができる。もちろん、あらゆる体形と大きさの個人が時々このようなセラピューティック・マッサージに関与することを望むようになる。この理由で、座席、膝当て、胸部支持物、肘掛け、及び頭受けが、患者並びにマッサージ・セラピストにさらに効果的及び快適に適応するように調整可能でなければならない。
【０００３】
マッサージされる身体の区域、患者の大きさ、及び提供されるマッサージの形式に応じて、回転調整及び縦方向調整の両方が、特定のチェア表面に対して必要になる。既存のマッサージ・チェアは、個別の位置決め機構を使用してさまざまな詰め物をした表面の調整を可能にして、各動き形式を制御する。この個別の位置決め機構の使用は、結果として調整が不必要に複雑になり時間のかかるものになる可能性がある。
【発明の開示】
【発明が解決しようとする課題】
【０００４】
上記の見地から、患者並びにマッサージ・セラピストにさらに最もよく適応するようにマッサージ・チェアのさまざまな表面を調整するための、信頼性のある簡単で効率のよい方法を提供することが必要である。また、必要とされる支持表面の同時縦方向及び回転調整を可能にする装置を提供するという、別の必要性が存在する。また、製造、組立て、及び使用するために比較的容易で費用効果のある調整可能なマッサージ・チェアを提供するという、さらに別の必要性が存在する。
【課題を解決するための手段】
【０００５】
本発明は、マッサージ・チェアと、マッサージ・チェアの１つ又は複数の支持表面を位置決めする位置決め機構とを対象とする。マッサージ・チェアは、座席、座席に結合された前上部支持組立体、第１支持表面、及び第１位置決め機構を含む。第１位置決め機構は前上部支持組立体に第１支持表面を可動的に固定する。第１位置決め機構は、第１支持表面に結合されたガイド・レールと前上部支持組立体に結合された締付け組立体とを含む。ガイド・レールは縦軸を有し、締付け組立体は回転軸を有する。締付け組立体は、締付け組立体に対する第１支持表面の動きを阻止するロック位置と、回転軸の周りにおける第１支持表面の回転と締付け組立体に対する第１支持表面の縦軸に沿った動きを可能にするアンロック位置との間で、選択的に移動する。この設計によって、第１位置決め機構は、単一の調整で、縦方向と回転方向の両方における第１支持表面の移動を可能にする。
【０００６】
本明細書に提供されているように、例えば、第１支持表面を胸部支持物又は頭受けにすることができる。
【０００７】
ガイド・レールはまた、実質的に正方形又は菱形の断面を有することができる。締付け組立体は、ガイド・レールの形状と位置決めに対応するように形状化されている１つ又は複数のガイド・レシーバを含むことができる。さらに、締付け組立体は、回転軸に沿って位置決めされたクランプ・ピンを含むことができる。クランプ・ピンは、縦軸に対してほぼ直角なガイド・レールを通じて延在することができる。ある実施形態では、ガイド・レールは、縦軸の対抗する側部に位置している対向隅部を含み、クランプ・ピンはガイド・レールの対向隅部を通じて延在している。
【０００８】
あるいくつかの実施形態では、マッサージ・チェアはまた第１位置決め機構と第２位置決め機構とを含む。第２位置決め機構は、第２支持表面を前上部支持組立体に移動可能に固定することができる。
【０００９】
本発明はまた、マッサージ・チェアの１つ又は複数の支持表面の位置決めを調整するための方法も対象とする。
【００１０】
本発明の目新しい特徴並びに本発明自体は、その構造と動作の両面に関して、同様な部分は同様な参照番号で表されている添付の図面と、下記の説明とを関連させることから極めてよく理解されよう。
【実施例】
【００１１】
まず図１及び２を参照すると、本発明は、（ｉ）下部支持組立体１２と、（ｉｉ）座席組立体１４と、（ｉｉｉ）前上部支持組立体１６と、（ｉｖ）第１支持表面１８と、（ｖ）第１位置決め機構２０（またときには本明細書においては包括的に「位置決め機構２０」と呼ぶ）とを含むことができるマッサージ・チェア１０などの、マッサージ装置を対象とする。下にさらに詳しく説明するように、マッサージ・チェア１０は第２位置決め機構２２を含むこともできる。第１位置決め機構２０は、第１支持表面１８を前上部支持組立体１６に移動可能に固定する。第１位置決め機構２０は、縦軸２６（図６Ｂに鎖線で示す）を有するガイド・レール２４と回転軸２８を有する締付け組立体２７とを含む。締付け組立体２７は、第１支持表面１８の動きを阻止するロック位置と、第１支持表面１８が回転軸の周りを回転すること及び第１支持表面１８が締付け組立体２７に対して縦軸２６に沿って移動することを可能にするアンロック位置との間で動くことができる。この設計によって、第１位置決め機構２０は単一調整による第１支持表面１８の回転及び縦方向移動を可能にする。
【００１２】
図示のマッサージ・チェア１０は運搬を容易にするために特定の場所で折りたたむことができるが、本発明の特徴を図示の場所とは異なる場所で折りたたむか、又は全く折りたたまないマッサージ・チェア１０に組み込むことができることが注目される。折りたたみ可能なマッサージ・チェア１０のさまざまな構成部分の詳細な説明が、２０００年１２月５日に出願された「Ｃｏｍｐａｃｔ  Ｆｏｌｄａｂｌｅ  Ｍａｓｓａｇｅ  Ｃｈａｉｒ」と題する米国特許出願第０９／７３１０３７号に記載されている。米国特許出願第０９／７３１０３７号の内容は本明細書に参照によって組み込まれている。したがって本明細書には、本発明に特に重要なマッサージ・チェア１０の構造的態様のみを提供する。
【００１３】
位置決め機構２０はマッサージ・チェア１０の中に示されている。代替案として、例えば、位置決め機構２０をマッサージ台などの、他のマッサージ装置の中で使用することができる。
【００１４】
下部支持組立体１２は、それ以外のマッサージ・チェア１０の部分を支持する。下部支持組立体１２の設計は、マッサージ・チェア１０の設計要件に合わせるために変えることができる。各図に示す実施形態において、下部支持組立体１２は、前下部支持物３０と後下部支持物３２とを含む。前下部支持物３０の設計は、マッサージ・チェア１０の設計要件に応じて変えることができる。前下部支持物３０は、右前支柱３４と左前支柱３６とを含むことができる（図３に示す）。前支柱の各々３４、３６はコネクタ３８と地面との間に延在することができる。代替案として、例えば、前下部支持物３０は２本の前支柱３４、３６より多いか、又は２本の前支柱３４、３６より少ない支柱を含むことができる。
【００１５】
さらに、前下部支持物３０は、横方向に延在する前横方向支持物４０を含むことができる。この実施形態では、前横方向支持物４０はマッサージ・チェア１０の倒れを阻止し、マッサージ・チェア１０に横方向の安定性をもたらす。さらに、前横方向支持物４０は前支柱３４、３６を共に連結することができる。前横方向支持物４０は、例としてアルミニウムなどの高強度で軽量の材料で作ることができる。
【００１６】
後下部支持物３２の設計は、マッサージ・チェア１０の設計要件に応じて変えることができる。後下部支持物３２は、右後支柱４２と左後支柱４４とを含むことができる（図３に示す）。後支柱の各々４２、４４はコネクタ３８と地面との間に後向きに延在することができる。代替案として、例えば、後下部支持物３２は２本の後支柱４２、４４より多いか、又は２本の後支柱４２、４４より少ない支柱を含むことができる。後下部支持物３２は、横方向に延在する後横方向支持物４６を含むことができる。この実施形態では、後横方向支持物４６はマッサージ・チェア１０の倒れを阻止し、マッサージ・チェア１０に横方向の安定性をもたらす。さらに、後横方向支持物４６は後支柱４２、４４を共に連結することができる。後横方向支持物４６は、アルミニウムなどの高強度で軽量の材料、又は適当な重量と強度のある他の材料で作ることができる。
【００１７】
マッサージ・チェア１０はまた、前下部支持物３０と後下部支持物３２との間に延在する可とう性支持物４８を含むこともできる。図３に示す実施形態では、可とう性支持物４８は、前横方向支持物４０の近くから後横方向支持物４６の近くまで延びている。ある実施形態では、可とう性支持物４８は、マッサージ・チェア１０が設置された後に前下部支持物３０が回転して後下部支持物３２からさらに離れることを防ぐ。適当な可とう性支持物４８を可とう性ケーブルにすることができる。
【００１８】
座席組立体１４は、後下部支持物３２に固定されており、患者がマッサージ・チェア１０に快適に座ることができるようにする。座席組立体１４の設計は、マッサージ・チェア１０の設計要件に応じて変えることができる。例えば図示された実施形態では、座席組立体１４は、座席５０と、前方座席支持物５２と後方座席支持物５４とを含んでいる。
【００１９】
座席５０は、布又はその他の見かけ上適切で軽量の耐久性のある材料で覆われた弾力性の詰め物で作ることができる。代替案として、例えば座席５０をブロー成形技術で作って、布又はその他のこの種の材料で覆うことができる。直立姿勢における座席５０の位置及び／又は高さは、個別の使用者に合わせるために調整することができる。座席５０の位置を調整可能に製作できることが企画される。
【００２０】
前方座席支持物５２の設計は、マッサージ・チェア１０の設計要件に応じて変えることができる。前方座席支持物５２は、１つ又は複数の前方フレーム５６を含むことができる。座席５０は、各前方フレーム５６の遠位端部近くに前方フレーム５６をまたいで固定されている。この設計の結果、座席５０と前方フレーム５６は片持ち梁状になって、後下部支持物３２に対して旋回することができる。
【００２１】
後方座席支持物５４の設計は、マッサージ・チェア１０の設計要件に応じて変えることができる。後方座席支持物５４は１つの後方フレーム５８を含むことができる。例えば、後方フレーム５８を前方フレーム５６に一端部で旋回可能に固定することができ、図３に示すように、後下部支持物３２に他の端部で結合することができる。代替案として、例えば、後方座席支持物５４は１つ以上の後方フレーム５８を含むことができる。
【００２２】
図３と４Ａに示すように、マッサージ・チェア１０はまた、個人の脚の前面を膝から足首まで支持するために、左膝当て６０と右膝当て６２とを含むこともできる。左膝当て６０と右膝当て６２は、布又はその他の見かけ上適切な軽量の耐久性のある材料で覆われた弾力性の詰め物で作ることができる。代替案として、例えば、各詰め物６０、６２をブロー成形技術で作って、布又は別のこの種の材料で覆うこともできる。左膝当て６０と右膝当て６２は、一般に水平の姿勢を有することができる。ある実施形態では、左膝当て６０と右膝当て６２は、互いに近似的に平行である。しかし、左膝当て６０と右膝当て６２は、本発明において使用するためには平行である必要はない。
【００２３】
前上部支持組立体１６の設計は、マッサージ・チェア１０の設計要件に応じて変えることができる。図示の実施形態では、前上部支持組立体１６は、上部取付け区画６６を含む単一の上部支柱６４を含む。図示の実施形態では、上部取付け区画６６は上部支柱６４の中の筒形開口部である。図３に示すように、上部支柱６４は一般にコネクタ３８から上向き垂直に延びている。しかし、前上部支持組立体１６の所望の配向は、使用者に合わせるために変えることもできる。例えば、この実施形態では上部支柱６４は、前支柱３４、３６の間、及び後支柱４２、４４の間に位置している。代替案として、例えば、前上部支持組立体１６は２つ以上の上部支柱６４を含むことができる。
【００２４】
図１に示す実施形態では、前上部支持組立体１６は、第１支持表面１８を支持する第１支持アーム６８を含むことができる。第１支持アーム６８の一実施形態を図６Ａ〜６Ｃに示す。第１支持アーム６８は１つ又は複数のアーム追加物７０を有することができ、以下に示すような第１位置決め機構２０に結合されることが可能である。各アーム付属物７０は、第１位置決め機構２０とマッサージ・チェア１０との要件に応じて変ってもよい。さらに、各アーム追加物７０は、第１位置決め機構２０がロック位置にあるときに第１支持表面１８をさらに効率的に固定するために第１位置決め機構２０と連動する、１つ又は複数の同心追加物溝７２を有することができる。
【００２５】
ある代替実施形態では、以下にさらに詳しく説明するように、前上部支持組立体１６は、第２支持表面７５を支持する第２支持アーム７４（図２に示される）を含むこともできる。さらに別の代替実施形態（図示せず）として、前上部支持組立体１６は、ただ１つの第２支持アーム７４を含むことができる。本明細書で使用されるように、いずれの支持アーム６８、７４も、第１支持アーム６８又は第２支持アーム７４にすることができる。
【００２６】
マッサージ・チェア１０はまた、前上部支持組立体１６に調整可能に固定された肘掛け７６を含むこともできる。肘掛け７６は、マッサージ・チェア１０に座っている人の腕を支持するようになっている。図に示す実施形態では、肘掛け７６は前上部支持組立体１６から前方に向かって延びている。肘掛け７６は、布又はその他の見かけ上適切な軽量の耐久性のある材料で覆われた弾力性の詰め物で作ることができる。代替案として、例えば、肘掛け７６をブロー成形技術で作って、布又は別のこの種の材料で覆うこともできる。
【００２７】
上に示したように、マッサージ・チェア１０はまた、患者を支持するための第１支持表面１８を含むこともできる。第１支持表面１８の設計は、マッサージ・チェア１０の設計要件に応じて変ることができる。第１支持表面１８は、第１位置決め機構２０によって前上部支持組立体１６の上端部に結合されている。第１支持表面１８は、布又はその他の見かけ上適切な軽量の耐久性のある材料で覆われた弾力性の詰め物で作ることができる。代替案として、例えば、第１支持表面１８をブロー成形技術で作って、布又は別のこの種の材料で覆うこともできる。
【００２８】
ある実施形態では、第１支持表面１８を胸部支持物７８にすることができる。胸部支持物７８は、個人の胸部を載せるための位置に後向きに面している。代替案として、特に女性のために快適さを増すために、胸骨パッド（図示せず）を胸部支持物の上に取外し可能に配設することもできる。代替案として例えば、第１支持表面１８を、患者の頭部を支持するための頭部支持物８０にすることができる。こうして、装置の上における胴体の長さサイズに適応するための、第１支持表面１８の必要な関節制が得られて、下に述べるように、マッサージ中に個人の安楽さと適切な支持を提供する。
【００２９】
支持物７８、８０は、布又はその他の見かけ上適切な軽量の耐久性のある材料で覆われた弾力性の詰め物で作ることができる。代替案として、例えば、胸部支持物７８及び／又は頭部支持物８０をブロー成形技術で作って、布又は別のこの種の材料で覆うこともできる。
【００３０】
概して図４Ａ〜５を参照すると、第１位置決め機構２０は、単一調整で、前上部支持組立体１６に対する縦方向と回転方向の両方における第１支持表面１８の移動の自由度を可能にする。第１位置決め機構２０の設計は、第１支持表面１８とマッサージ・チェア１０との要件に応じて変ることができる。図に示すマッサージ・チェア１０では、第１位置決め機構２０はガイド・レール２４と締付け組立体２７とを含む。
【００３１】
図６Ａと６Ｂを参照すると、ガイド・レール２４は、前上部支持組立体１６に対する第１支持表面１８の動きを案内する。ガイド・レール２４の個数とガイド・レール２４の設計は、第１支持表面１８とマッサージ・チェア１０との設計要件に合わせるために変更することができる。図に示す実施形態では、位置決め機構２０は、第１支持表面１８の容易な移動を助長する単一のガイド・レール２４を含む。
【００３２】
ガイド・レール２４は第１支持表面１８に結合されている。図６Ａと６Ｂとに示す実施形態では、ガイド・レール２４は、１つ又は複数のレール締結具８４によってレール支持物８２に固定されている。レール支持物８２は、図６Ａ及び６Ｂに示すように、１つ又は複数のレール支持締結具８６によって第１支持表面１８に直接固定されている。代替案として、レール支持物８２とガイド・レール２４とを、第１支持表面１８に固定される単一構造として形成することができる。
【００３３】
先に述べたように、ガイド・レール２４は、第１支持表面１８に一般に平行な縦軸２６を含む。さらにまた、ガイド・レール２４は、縦軸２６に実質的に直角な横軸８８（図４Ｂでは鎖線で示す）を含み、一般に第１支持表面１８に平行である。図に示すガイド・レール２４は実質的に矩形の断面を有し、これは例えば正方形にすることができる。図６Ａに示す実施形態では、ガイド・レール２４は、第１支持表面１８に対して、いくらか菱形の断面を有するように位置付けられている。換言すれば、ガイド・レール２４は対向する隅部９０を含み、したがってこれらの対向する隅部９０を通る線が第１支持表面１８に対して一般に平行になる。代替案として、ガイド・レール２４は、例えば円形、三角形、又は楕円形などのさまざまな外形の断面を有することができる。
【００３４】
ガイド・レール２４はまた、ガイド・レール２４の横軸８８を通じて延在するガイド・レール・スロット９２も含むことができる。ガイド・レール・スロット９２の設計は変えることができる。例えば、図５Ａ及び６Ａに示すように、ガイド・レール・スロット９２は一般に矩形に形状化することができ、一般に対向する隅部９０を通って延在することができる。ガイド・レール・スロット９２は、ガイド・レール２４の縦軸２６に沿って延在するスロット長９４を有することができる。スロット長９４は、マッサージ・チェア１０の支持区画１８における所望の縦方向調整可能性の量に応じて変えることができる。図６Ｂに示すように、スロット長９４は、ガイド・レール２４の長さの約９０％に沿って延在することができる。代替案として、スロット長９４をガイド・レール２４の９０％以上又は以下にすることができる。別の代替案として、ガイド・レール・スロット９２を円弧形状にすることができる。この設計によれば、ガイド・レール２４は締付け組立体２７に対して円弧形状の経路を移動することになる。
【００３５】
ガイド・レール２４を、金属、エポキシ、又はプラスチックなどの十分に強い耐久性の材料から形成することができる。例えば、ガラス・ナイロンなどの他の適当に強度にある材料をガイド・レール２４の中に組み込むことができる。
【００３６】
締付け組立体２７はガイド・レール２４の上で選択的に締付けを行う。締付け組立体２７の設計は、ガイド・レール２４とマッサージ・チェア１０との設計要件に合わせるために変えることができる。締付け組立体２７は回転軸２８を含み、マッサージ・チェア１０の調整中に、この回転軸２８の周りを第１支持表面１８が回転することができる。図６Ａ及び６Ｂに示すように、回転軸２８はガイド・レール２４の縦軸２６に対して一般に直角であり、第１支持表面１８に対して実質的に平行である。図６Ａに示す実施形態を参照すると、締付け組立体２７は、締付けピン９６と、第１ガイド・レシーバ９８及び／又は第２ガイド・レシーバ９９を含む１つ又は複数のガイド・レシーバとを含む。
【００３７】
この実施形態では、締付けピン９６は、実質的に締付け組立体２７の回転軸２８に沿って位置付けられている。締付けピン９６はガイド・レール・スロット９２を通じて延在し、使用者による調整中にガイド・レール・スロット９２の長さに沿って滑動することができる。この設計によって、第１支持表面１８は締付けピン９６に対する平行配向を維持し、これによって、第１支持表面１８の左右の動きを阻止する。締付けピン９６は、例えばアルミニウム、その他の金属、又はプラスチックなどの強い耐久性の材料から形成することができる。
【００３８】
締付けピン９６は、第１ピン端部１００と第２ピン端部１０２とを有する。締付けピン９６はまたピン止め具１０４も含むことができる。図６Ａに示す実施形態では、ピン止め具１０４は第１ピン端部１００の端部に位置している。ピン止め具１０４は、ガイド・レール・スロット９２内部の締付けピン９６の位置決めを維持する締付けピン９６の一般に平らな「ヘッド」である。さらに、ピン止め具１０４によって、締付け組立体２７はガイド・レール２４、したがって第１支持表面１８の動きを「ロック」又は「アンロック」することができる。第２ピン端部１０２は第１ピン端部１００の反対側にある。下に述べるように、第２ピン端部１０２はロック・レバー１０６に固定され、ロック・レバー１０６によって、使用者は第１支持表面１８の位置決めを調整することができる。締付けピン９６のいずれかの端部を第１ピン端部１００又は第２ピン端部１０２にすることができるのは重要である。
【００３９】
ロック・レバー１０６の回転が所望の締付け圧を加えてガイド・レール２４をきつくロックするように、締付けピン９６の長さが寸法決めされることに注目されたい。締付けピン９６の長さを調整して望みの締付け圧を変えることができる。本設計によって、締付け組立体２７は一貫して確かな所望の締付け圧を提供することができる。
【００４０】
締付けピン９６は、第１ガイド・レシーバ９８及び／又は第２ガイド・レシーバ９９を含む１つ又は複数のガイド・レシーバを通じて延在している。例えば、図４Ｂ及び６Ａは、第１ガイド・レシーバ９８及び第２ガイド・レシーバ９９を含む。特に、いずれかのガイド・レシーバ９８、９９を、第１ガイド・レシーバ９８又は第２ガイド・レシーバ９９にすることができる。ガイド・レシーバ９８、９９の設計は、ガイド・レール２４の要件に応じて変えることができる。例えば、図４Ｂは、第１ガイド・レシーバ９８及び第２ガイド・レシーバ９９を有する実施形態を示している。この実施形態では、各ガイド・レシーバ９８、９９は、ガイド・レール２４の対応する反対隅部９０の近くに位置している。さらに、各ガイド・レシーバ９８、９９は、締付けピン９６の周りにぴったり合うように位置付けられ、締付けピン９６は各ガイド・レシーバ９８、９９におけるレシーバ開口１０８を通じて延在している。代替案として、各締付け組立体２７は２つのガイド・レシーバ９８、９９以上又は以下を含むことができる。
【００４１】
図７Ａ〜８Ｂは、第１ガイド・レシーバ９８の一実施形態を示す。図６Ａ及び７Ａ〜８Ｂの実施形態に示すように、各ガイド・レシーバ９８、９９は、内側レシーバ部分１１０と外側レシーバ部分１１２とを含む。各内側レシーバ部分１１０は、一般に円形のレシーバ背面１１４と、レシーバ延長部１１６と、レシーバ正面側１１８とを含むことができる。各レシーバ背面１１４は一般に、前上部支持組立体１６の対応するアーム追加物７０に接触している。
【００４２】
レシーバ延長部１１６は、前上部支持組立体１６のアーム追加物７０の一つを通じて、外側レシーバ部分１１２の一つの中に延びている。各レシーバ延長部１１６は、図７Ｂでよくわかるように、複数のキー溝１２０を含むことができる。キー溝１２０の個数と寸法は変えることができる。キー溝１２０は、外側レシーバ部分１１２の対応するキー溝１２０とインタロックすることによってガイド・レシーバ９８、９９の回転を阻止する。このような回転は、そうでなく回避されない場合には、締付け組立体２７がロック位置にある間に、第１支持表面１８の望ましくない移動を引き起こす可能性がある。
【００４３】
レシーバ正面側１１８は、ガイド・レール２４の一部分を受け入れるようになっている。レシーバ正面側１１８の形状と寸法は、ガイド・レール２４の設計要件に応じて変えることができる。締付け組立体２７がロック位置にあるときには、レシーバ正面側１１８は、前上部支持組立体１６に対するガイド・レール２４の移動を阻止する。レシーバ正面側１１８は、ガイド・レール２４との接触を最大限に増やす形状を有することができる。例えば、図４Ｂ及び７Ａに示す実施形態では、レシーバ正面側１１８は、ガイド・レール２４の対向隅部９０の一つの形状に対応するＶ形切り欠き１２２を含む。この設計によって、締付け組立体２７がロック位置にあるときに、ガイド・レール２４の縦軸２６の周りに回転移動することが阻止される。各ガイド・レシーバ９８、９９の切り欠き１２２の形状は、ガイド・レール２４の形状に応じて変えることができる。
【００４４】
外側レシーバ部分１１２は、レシーバ正面側１１８からアーム追加物７０の反対側でレシーバ延長部１１６の上にぴったり合っている。上に述べたように、外側レシーバ部分１１２は、追加物の溝７２とインタロックする１つ又は複数の同心レシーバ溝１２４を含むことができる。この方式で、外側レシーバ部分１１２とそれぞれのアーム追加物７０との間の表面積は増加する。この設計によって、ガイド・レシーバ９８、９９と前上部支持組立体１６との間の滑りは最小限に抑えられる。これによって、締付け組立体２７がロック位置にある間は、前上部支持組立体１６に対する第１支持表面１８の移動を減らす。
【００４５】
ガイド・レシーバ９８、９９は、金属又はプラスチックなどの十分に強い耐久性の材料から形成することができる。例えば、ガラス・ナイロンなどの他の適当に強度にある材料をガイド・レシーバ９８、９９の中に組み込むことができる。
【００４６】
締付け組立体２７はまた、先に述べたようにロック・レバー１０６も含むことができる。ロック・レバー１０６の設計は、第１位置決め機構２０とマッサージ・チェア１０との要件に応じて変えることができる。例えば、ロック・レバー１０６を一種のレバー又はハンドルにすることができる。しかし、適切な構成であればどれでも本発明によって使用することができる。ロック・レバー１０６は締付けピン９６に可動的に結合されている。
【００４７】
図６Ａに示す実施形態では、ロック・レバー１０６はロック位置で、すなわち締付けピン９６の位置決め姿勢に対してほぼ直角に示されている。この実施形態では、ロック・レバー１０６はカム・エリアを含む。ロック位置では、ロック・レバー１０６のカム・エリアは締付けピン９６の長さを効果的に「短縮」し、ピン止め具１０４をロック・レバー１０６に向けて引かれるようにする。ピン止め具１０４とロック・レバー１０６は、ガイド・レシーバ９８、９９を互いに向けて圧縮し、こうして、レシーバ正面側１１８のＶ形切り欠き１２２の各々をガイド・レール２４の対応する対向隅部９０の上に締め付ける。この結果、ロック・レバー１０６がロック位置にある間は、ガイド・レール２４は、締付け組立体２７に、したがって前上部支持組立体１６に対する動きを阻止される。
【００４８】
ロック・レバー１０６をアンロック位置に、すなわち締付けピン９６の位置決め姿勢と実質的に平行に移すことができる。アンロック位置にあるときには、締付けピン９６は効果的に「長くなり」、これによってピン止め具１０４をガイド・レシーバ９８、９９の間の圧縮を解除させる。この圧縮低下によって、ガイド・レール２４はレシーバ正面側１１８のＶ形切り欠き１２２に対して滑動することができる。この結果、第１支持表面１８は、ガイド・レール２４の縦軸２６に実質的に平行な（図１及び２の方向矢印Ａによって示される）方向に動くことができる。さらに、アンロック位置では、ガイド・レール２４は締付けピン９６の周りを、一般に締付け組立体２７の回転軸２８の周りを回転することができる。（図１及び２に方向矢印Ｂで示される）この回転によって、第１支持表面１８は必要に応じて患者に向かって、又は患者から離れるように傾斜することができる。したがって、単一調整によって、第１支持表面１８を急速かつ容易に２つの個別方向に位置変えを行うことができる。
【００４９】
代替案として、ロック・レバー１０６を異なる設計にすることができる。例えば、ロック・レバー１０６は内部にねじを切った表面（図示せず）を含むことができ、締付けピン９６は外部にねじを切った表面（図示せず）を含むことができる。この設計では、一方向におけるロック・レバー１０６の回転が位置決め機構２０をロック位置に動かし、反対方向の回転は位置決め機構２０をアンロック位置に動かす。
【００５０】
ここで図２を参照すると、マッサージ・チェア１０は第２支持表面７５を含むことができる。さらに詳しくは、図２に示す実施形態は、例えば胸部支持物７８にすることができる第１支持表面と、頭部支持物８０にすることができる第２支持表面とを含む。複数の支持表面１８、７５があるので、第１位置決め機構２０と第２位置決め機構２２の両方をマッサージ・チェア１０の中に組み込むことができる。いずれかの支持表面１８、７５を第１支持表面１８又は第２支持表面７５にすることができるのは重要である。
【００５１】
この実施形態における胸部支持物７８は、上述のように第１位置決め機構２０によって調整可能である。頭部支持物８０の同様に第２位置決め機構２２によって調整可能である。本明細書に提供されるように、第２位置決め機構２２は第１位置決め機構２０と実質的に同様に動作することができ、先に説明し図６Ａ〜８Ｂに示すように、第１位置決め機構２０と同じ可能な変形を伴って、同じ基本機能と構成部分を含む。この設計によって、アンロック位置では、頭部支持物８０は（図２において矢印Ｃで示す）縦方向に、例えばガイド・レール２４の縦軸２６に平行に動くことができ、（図２において矢印Ｄで示すように）第２位置決め機構２２の締付け組立体２７の回転軸２８の周りに回転することができる。いずれかの位置決め機構２０、２２を第１位置決め機構２０又は第２位置決め機構２２にすることができるのは重要である。
【００５２】
先に指摘したように、第２位置決め機構２２を、前上部支持組立体１６の第２支持アーム７４に固定することができる。第２支持アーム７４は、マッサージ・チェア１０の要件に応じて上部支柱６４又は第１支持アーム６８に取外し可能に取り付けることができる。
【００５３】
一代替実施形態（図示せず）では、マッサージ・チェア１０は、頭部支持物８０である第１支持表面１８を含むことができる。この実施形態では、頭部支持物８０は、第１位置決め機構２０によって前上部支持組立体１６の第２支持アーム７４に結合されている。第１位置決め機構２０は上述のように構成され、動作する。
【００５４】
本明細書に図示し説明したような特定の位置決め機構２０とマッサージ・チェア１０は、目的を達成し前述の利点を提供することができるが、これは本発明の現在好ましい実施形態を例示的に示しただけであること、及び本発明を、添付の特許請求の範囲に記載するものではなく本明細書に示す構造と設計の詳細に限定するものではないことを理解されたい。
【図面の簡単な説明】
【００５５】
【図１】本発明の特徴を備えたマッサージ・チェアの第１実施形態の側面図である。
【図２】本発明の特徴を備えたマッサージ・チェアの第２実施形態の側面図である。
【図３】図１に示すマッサージ・チェアの斜視図である。
【図４Ａ】図１に示すマッサージ・チェアの前面図である。
【図４Ｂ】図４Ａに示すマッサージ・チェアの一部分の拡大図である。
【図４Ｃ】図４Ｂに示すマッサージ・チェアの一部分の斜視図である。
【図５】本発明の特徴を備えたマッサージ・チェアの一部分の側面図である。
【図６Ａ】前上部支持組立体の一部分と第１支持表面の一部分が本発明の特徴を有する、第１位置決め機構を含むマッサージ・チェアの一部分の実施形態を示す簡略化された断面図である。
【図６Ｂ】図６Ａに示すマッサージ・チェアの一部分の側面図である。
【図６Ｃ】図６Ａに示す前上部支持組立体の一部分の側面図である。
【図７Ａ】本発明の特徴を備えたガイド・レシーバの一部分のある実施形態を示す側面図である。
【図７Ｂ】図７Ａにおける線７Ｂ−７Ｂに沿って取った断面図である。
【図８Ａ】本発明の特徴を備えたガイド・レシーバの一部分のある実施形態を示す側面図である。
【図８Ｂ】図８Ａにおける線８Ｂ−８Ｂに沿って取った断面図である。
【図１】
2005528929.tif 000003
【図２】
2005528929.tif 000004
【図３】
2005528929.tif 000005
【図４Ａ】
2005528929.tif 000006
【図４Ｂ】
2005528929.tif 000007
【図４Ｃ】
2005528929.tif 000008
【図５】
2005528929.tif 000009
【図６Ａ】
2005528929.tif 000010
【図６Ｂ】
2005528929.tif 000011
【図６Ｃ】
2005528929.tif 000012
【図７Ａ】
2005528929.tif 000013
【図７Ｂ】
2005528929.tif 000014
【図８Ａ】
2005528929.tif 000015
【図８Ｂ】
2005528929.tif 000016
【手続補正書】
【提出日】平成15年6月12日(2003.6.12)
【手続補正１】
【補正対象書類名】特許請求の範囲
【補正対象項目名】全文
【補正方法】変更
【補正の内容】
【特許請求の範囲】
【請求項１】
個人を座らせるようになっているマッサージ・チェアであって、
座席と、
座席に結合された前上部支持組立体と、
第１支持表面と、
第１支持表面を前上部支持組立体に可動的に固定する第１位置決め機構であって、（ｉ）第１支持表面に結合されたガイド・レールと、（ｉｉ）前上部支持組立体に結合された締付け組立体とを含み、締付け組立体はガイド・レールを受け入れる２つのガイド・レシーバを含み、ガイド・レシーバはガイド・レールの実質的に対向する側部に位置し、ガイド・レシーバは、締付け組立体の一部分に対する第１支持表面の動きを阻止するロック位置と、前上部支持組立体に対する第１支持表面の回転と前上部支持組立体に対する第１支持表面の滑動とを可能にするアンロック位置との間を、選択的に動く
第１位置決め機構と
を含むマッサージ・チェア。
【請求項２】
ガイド・レールが縦軸を有し、締付け組立体が縦軸に実質的に直角な回転軸を含み、アンロック位置では、第１支持表面は回転軸の周りを回転し、縦軸に沿って滑動する、請求項１に記載のマッサージ・チェア。
【請求項３】
ガイド・レールが実質的に正方形の断面を有する、請求項１に記載のマッサージ・チェア。
【請求項４】
ガイド・レールが実質的に菱形の断面を有する、請求項１に記載のマッサージ・チェア。
【請求項５】
締付け組立体が、第１ピン端部と反対側の第２ピン端部とを有する締付けピンを有し、第１ガイド・レシーバが第１ピン端部の近くに位置し、第２ガイド・レシーバが第２ピン端部の近くに位置する、請求項１に記載のマッサージ・チェア。
【請求項６】
ガイド・レールが縦軸を含み、ガイド・レールが、締付けピンが縦軸に実質的に直角なガイド・レールを通じて延在するように位置付けられている、請求項５に記載のマッサージ・チェア。
【請求項７】
ガイド・レールが、縦軸の対向両側の上に位置する対向隅部を含み、締付けピンがガイド・レールの少なくとも１つの対向隅部を通じて延在する、請求項５に記載のマッサージ・チェア。
【請求項８】
ガイド・レールが、ガイド・レールに沿って実質的に縦方向に位置するガイド・レール・スロットを含み、締付けピンがガイド・レール・スロットを通じて延在する、請求項５に記載のマッサージ・チェア。
【請求項９】
ガイド・レシーバの少なくとも１つが、ガイド・レールの一部分を受け入れる実質的にＶ形の切り込みを有する、請求項１に記載のマッサージ・チェア。
【請求項１０】
ガイド・レシーバの各々が、ガイド・レールの分離部分を受け入れる実質的にＶ形の切り込みを有する、請求項１に記載のマッサージ・チェア。
【請求項１１】
第１位置決め機構が、少なくとも１つのガイド・レシーバをロック位置とアンロック位置との間で動かすロック・レバーをさらに含む、請求項１に記載のマッサージ・チェア。
【請求項１２】
位置決め機構が厳密に１つのガイド・レールを含む、請求項１に記載のマッサージ・チェア。
【請求項１３】
第１支持表面が胸部支持物である、請求項１に記載のマッサージ・チェア。
【請求項１４】
第１支持表面が頭部支持物である、請求項１に記載のマッサージ・チェア。
【請求項１５】
個人を座らせるようになっているマッサージ・チェアであって、
座席と、
座席に結合された前上部支持組立体と、
第１支持表面と、
第１支持表面を前上部支持組立体に可動的に固定する第１位置決め機構であって、（ｉ）第１支持表面に結合されて、実質的に正方形の断面を有するガイド・レールと、（ｉｉ）前上部支持組立体に結合された締付け組立体とを含み、締付け組立体はガイド・レールを受け入れる２つのガイド・レシーバを含み、ガイド・レシーバは、締付け組立体の一部分に対する第１支持表面の動きを阻止するロック位置と、前上部支持組立体に対する第１支持表面の回転と前上部支持組立体に対する第１支持表面の滑動とを可能にするアンロック位置との間を、選択的に動く、第１位置決め機構と
を含むマッサージ・チェア。
【請求項１６】
個人を座らせるようになっているマッサージ・チェアであって、
座席と、
座席に結合された前上部支持組立体と、
第１支持表面と、
第１支持表面を前上部支持組立体に可動的に固定する第１位置決め機構であって、（ｉ）第１支持表面に結合されたガイド・レールと、（ｉｉ）前上部支持組立体に結合された締付け組立体とを含み、締付け組立体は、（ａ）第１ピン端部と反対側の第２ピン端部とを有する締付けピンと、（ｂ）第１ピンの近くに位置する第１ガイド・レシーバと第２ピンの近くに位置する第２ガイド・レシーバとを含み、ガイド・レシーバの少なくとも１つは、ガイド・レールの一部分を受け入れる実質的にＶ形の切り欠きを有し、ガイド・レシーバの少なくとも１つは、締付け組立体に対する第１支持表面の動きを阻止するロック位置と、前上部支持組立体に対する第１支持表面の回転と前上部支持組立体に対する第１支持表面の滑動とを可能にするアンロック位置との間を選択的に動く、第１位置決め機構と
を含むマッサージ・チェア。
【請求項１７】
ガイド・レシーバの各々が、ガイド・レールの対応する部分を受け入れる実質的にＶ形の切り込みを有する、請求項１６に記載のマッサージ・チェア。
【請求項１８】
個人を座らせるようになっているマッサージ・チェアであって、
座席と、
座席に結合された前上部支持組立体と、
第１支持表面と、
第１支持表面を前上部支持組立体に可動的に固定する第１位置決め機構と
を含み、
第１位置決め機構は、
第１支持表面に結合されたガイド・レールであって、縦軸と、第１支持表面に関して実質的に菱形の断面とを有し、縦軸の対向両側の上に位置する対向隅部を有するガイド・レールと、
前上部支持組立体に結合された締付け組立体であって、ガイド・レールを解除可能に締付け、回転軸を有し、（ｉ）実質的に回転軸に沿って位置付けられた締付けピンであって、ガイド・レールの縦軸に実質的に直角であり、ガイド・レールの縦軸に実質的に直角なガイド・レールの対向隅部を通じて延在し、第１ピン端部と対向する第２ピン端部とを有する締付けピンと、（ｉｉ）第１ピン端部の近くに位置する第１ガイド・レシーバと第２ピン端部の近くに位置する第２ガイド・レシーバであって、これらのガイド・レシーバは各々、ガイド・レールの個別部分を受け入れるための実質的にＶ形の切り欠きを有し、締付け組立体に対する第１支持表面の動きを阻止するロック位置と、回転軸の周りにおける第１支持表面の回転と、ガイド・レシーバに対するガイド・レールの縦軸に沿った第１支持表面の動きとを可能にするアンロック位置との間を、選択的に動く、第１及び第２ガイド・レシーバと、（ｉｉｉ）ガイド・レシーバをロック位置とアンロック位置との間で動かすロック・レバーとを含む、締付け組立体と
を含むマッサージ・チェア。
【請求項１９】
第１支持表面が胸部支持物である、請求項１８に記載のマッサージ・チェア。
【請求項２０】
第１支持表面が頭部支持物である、請求項１８に記載のマッサージ・チェア。
【請求項２１】
第１支持表面を支持組立体に可動的に固定する位置決め機構であって、
第１支持表面に結合されて、第１支持表面に関して実質的に菱形の断面を有するガイド・レールと、
支持組立体に結合された締付け組立体であって、ガイド・レールを解除可能に締付け、（ｉ）第１ピン端部と対向する第２ピン端部とを有する締付けピンと、（ｉｉ）第１ピン端部の近くに位置する第１ガイド・レシーバと第２ピン端部の近くに位置する第２ガイド・レシーバであって、これらのガイド・レシーバは各々、ガイド・レールの個別部分を受け入れるための実質的にＶ形の切り欠きを有し、締付け組立体に対する第１支持表面の動きを阻止するロック位置と、支持組立体に対する第１支持表面の回転と、支持組立体に対する第１支持表面の滑動とを可能にするアンロック位置との間を、選択的に動く第１及び第２ガイド・レシーバとを含む、締付け組立体と
を含む位置決め機構。
【請求項２２】
ガイド・レールが、縦軸と、縦軸の対向側面に位置する対向隅部を含み、締付けピンが縦軸に実質的に直角なガイド・レールの対向隅部を通じて延在し、アンロック位置では第１支持表面は縦軸に沿って滑動する、請求項２１に記載の位置決め機構。
【請求項２３】
ガイド・レシーバをロック位置とアンロック位置との間で動かすロック・レバーをさらに含む、請求項２１に記載の位置決め機構。
【請求項２４】
請求項２１に記載の位置決め機構を含むマッサージ装置。
【請求項２５】
請求項２１に記載の位置決め機構を含むマッサージ台。
【請求項２６】
個人を座らせるようになっているマッサージ・チェアであって、
座席と、
座席に結合された前上部支持組立体と、
第１支持表面と、
第１支持表面を前上部支持組立体に可動的に固定する第１位置決め機構であって、（ｉ）第１支持表面に結合されて、縦軸を有するガイド・レールと、（ｉｉ）前上部支持組立体に結合された締付け組立体とを含み、締付け組立体は、（ａ）第１ピン端部と反対側の第２ピン端部とを有する締付けピンであって、縦軸に対して実質的に直角なガイド・レールを通じて延在する締付けピンと、（ｂ）第１ピンの近くに位置するガイド・レシーバとを含み、ガイド・レシーバは、締付け組立体に対する第１支持表面の動きを阻止するロック位置と、前上部支持組立体に対する第１支持表面の回転と前上部支持組立体に対する第１支持表面の滑動とを可能にするアンロック位置との間を選択的に動く、第１位置決め機構と
を含むマッサージ・チェア。
【請求項２７】
ガイド・レールが、縦軸の対向両側の上に位置する対向隅部を含み、締付けピンがガイド・レールの対向隅部を通じて延在する、請求項２６に記載のマッサージ・チェア。
【請求項２８】
個人を座らせるようになっているマッサージ・チェアであって、
座席と、
座席に結合された前上部支持組立体と、
第１支持表面と、
第１支持表面を前上部支持組立体に可動的に固定する第１位置決め機構であって、（ｉ）第１支持表面に結合されたガイド・レールと、（ｉｉ）前上部支持組立体に結合された締付け組立体とを含み、締付け組立体は、（ａ）第１ピン端部と反対側の第２ピン端部とを有する締付けピンと、（ｂ）第１ピンの近くに位置するガイド・レシーバとを含み、ガイド・レシーバは、締付け組立体に対する第１支持表面の動きを阻止するロック位置と、前上部支持組立体に対する第１支持表面の回転と前上部支持組立体に対する第１支持表面の滑動とを可能にするアンロック位置との間を選択的に動く、第１位置決め機構と
を含むマッサージ・チェア。
【請求項２９】
マッサージ・チェアのための、第１支持表面の位置を調整するための方法であって、
縦軸と実質的に菱形の断面とを有するガイド・レールを第１支持表面に結合するステップと、
回転軸を有する締付け組立体を、各々がガイド・レールの個別部分を受け入れる実質的にＶ形の切り欠きを有する２つのガイド・レシーバを用いて締付け組立体に対するガイド・レールと第１支持表面との動きを阻止するロック位置から、回転軸の周りにおけるガイド・レールと第１支持表面の回転と、締付け組立体に対するガイド・レールと第１支持表面の縦軸に沿った動きとを可能にするアンロック位置へ動かすステップと
を含む方法。
【請求項３０】
個人を座らせるようになっているマッサージ・チェアであって、
座席と、
座席に結合された前上部支持組立体と、
縦軸を有する第１支持表面と、
第１支持表面を前上部支持組立体に可動的に固定する第１位置決め機構であって、（ｉ）第１支持表面に結合されて、実質的に第１支持表面の縦軸に沿って位置するガイド・レールと、（ｉｉ）前上部支持組立体に結合された締付け組立体とを含み、締付け組立体は単一ロック・レバーを含み、ロック・レバーの動きは、締付け組立体を、締付け組立体に対する第１支持表面の動きを阻止するロック位置と、前上部支持組立体に対する第１支持表面の回転と前上部支持組立体に対する第１支持表面の滑動とを可能にするアンロック位置との間で動かす、第１位置決め機構と
を含むマッサージ・チェア。
【請求項３１】
ガイド・レールが縦軸を有し、締付け組立体がアンロック位置にあるときには、第１支持表面は縦軸と平行な方向に滑動する、請求項３０に記載のマッサージ・チェア。
【請求項３２】
ガイド・レールが縦軸を有し、締付け組立体が縦軸に実質的に直角な回転軸を含み、アンロック位置では、第１支持表面は回転軸の周りを回転し、縦軸に沿って滑動する、請求項３０に記載のマッサージ・チェア。
【請求項３３】
ガイド・レールが実質的に正方形の断面を有する、請求項３０に記載のマッサージ・チェア。
【請求項３４】
ガイド・レールが実質的に菱形の断面を有する、請求項３０に記載のマッサージ・チェア。
【請求項３５】
締付け組立体が、（ｉ）第１ピン端部と反対側の第２ピン端部とを有する締付けピンと、（ｉｉ）第１ピン端部の近くに位置するガイド・レシーバとを含み、ガイド・レシーバはロック位置とアンロック位置との間を選択的に動く、請求項３０に記載のマッサージ・チェア。
【請求項３６】
締付け組立体が、第２ピン端部の近くに位置する第２ガイド・レシーバを含む、請求項３５に記載のマッサージ・チェア。
【請求項３７】
ガイド・レシーバの少なくとも１つが、ガイド・レールの一部分を受け入れる実質的にＶ形の切り込みを有する、請求項３６に記載のマッサージ・チェア。
【請求項３８】
ガイド・レールが縦軸を含み、ガイド・レールは、締付けピンが縦軸に実質的に直角なガイド・レールを通じて延在するように位置付けられている、請求項３５に記載のマッサージ・チェア。
【請求項３９】
ガイド・レールが、縦軸の対向両側の上に位置する対向隅部を含み、締付けピンがガイド・レールの対向隅部を通じて延在する、請求項３８に記載のマッサージ・チェア。
【請求項４０】
ガイド・レールが、ガイド・レールに沿って実質的に縦方向に位置するガイド・レール・スロットを含み、締付けピンがガイド・レール・スロットを通じて延在する、請求項３５に記載のマッサージ・チェア。
【請求項４１】
位置決め機構が厳密に１つだけのガイド・レールを含む、請求項３０に記載のマッサージ・チェア。
【請求項４２】
第１支持表面が胸部支持物である、請求項３０に記載のマッサージ・チェア。
【請求項４３】
マッサージ・チェアのための、第１支持表面の位置を調整するための方法であって、
ガイド・レールを、実質的に第１支持表面の縦軸に沿って位置決めするステップと、
単一のロック・レバーを動かして、回転軸を有する締付け組立体を、締付け組立体に対するガイド・レールと第１支持表面の動きを阻止するロック位置と、回転軸の周りにおけるガイド・レールと第１支持表面の回転と、締付け組立体に対するガイド・レールと第１支持表面の縦軸に沿った動きとを可能にするアンロック位置との間で動かすステップと
を含む方法。
【請求項４４】
ロック・レバーを動かすステップが、各々がガイド・レールの個別部分を受け入れるために実質的にＶ形の切り欠きを有する２つのガイド・レシーバでガイド・レールを受け入れることを含む、請求項４３に記載の方法。
【請求項４５】
ガイド・レールが実質的に２つのガイド・レシーバの間に位置する、請求項４４に記載の方法。
【国際調査報告】
2005528929.tif 000017